(57)【要約】      （修正有）【課題】角筒体を起こし立て状態に固定する起こし立て角筒体の固定構造を提供する。【解決手段】台紙上に偏平に押し畳まれて載着する角筒体形成枠１と、角筒体形成枠１内の一側上角より他側下角１ｂに向けて設ける傾斜片１ｃと、傾斜片１ｃの先部に下角１ｂ上のスリット１ｄより台紙２上にたわみ抜け出しする差し込み部１ｅと、該差し込み部１ｅに設ける舌片１ｆと、該舌片１ｆを押し下げつつ舌片１ｆをスリット１ｄの下側端面に突き当てする押片３をスリット１ｄの上側端面に設けて、該角筒体形成枠１を台紙２上にて起こし立てて角筒体とする際に該差し込み部１ｅが下角１ｂ上のスリット１ｄをたわみながら台紙２上に抜け出して、スリット１ｄの上側端面の押片３にて該舌片１ｆを押し下げつつ舌片１ｆの先端面を該スリット１ｄの下側端面に突き当て、押片３を含む３方の突き当てにてロックして起こし立て角筒体を起こし立て状態にて固定する。【選択図】図３
0003210960.tif 000002
【実用新案登録請求の範囲】
【請求項１】
台紙上に偏平に押し畳まれて載着する角筒体形成枠と、角筒体形成枠内の一側上角より他側下角に向けて設ける傾斜片と、傾斜片の先部に下角上のスリットより台紙上にたわみ抜け出しする差し込み部と、該差し込み部に設ける舌片と、該舌片を押し下げつつ舌片をスリットの下側端面に突き当てする押片をスリットの上側端面に設けて、該角筒体形成枠を台紙上にて起こし立てて角筒体とする際に該差し込み部が下角上のスリットをたわみながら台紙上に抜け出して、スリットの上側端面の押片にて該舌片を押し下げつつ舌片の先端面を該スリットの下側端面に突き当て、押片を含む３方の突き当てにてロックして起こし立て角筒体を起こし立て状態にて固定することを特徴とする起こし立て角筒体の固定構造。
【請求項２】
差し込み部の基部にスリットより抜き出した際に上向きにたわみ曲がりする罫線を設けて押し畳み角筒体形成枠を台紙なしとする請求項１に記載の起こし立て角筒体の固定構造。
【請求項３】
差し込み部の基部に押片の引っ掛け穴を設けて差し込み部を掛止するようにして押し畳み角筒体形成枠を台紙なしとする請求項１に記載の起こし立て角筒体の固定構造。
【考案の詳細な説明】
【技術分野】
【０００１】
この考案は板紙,段ボール，ＰＥＴ素材，ＰＰ素材等にて形成する起こし立て角筒体の固定構造に関するものである。
【背景技術】
【０００２】
起こし立てするものとしては飛び出す絵本などが知られている。実用新案登録第３０５５０１０号は立体カードとして、立体カードを折畳んで対角２隅を台紙の２隅の切目に挟んで収納するということを記載している。
【先行技術文献】
【特許文献】
【０００３】
【特許文献１】実用新案登録第３０５５０１０号公報
【考案の概要】
【考案が解決しようとする課題】
【０００４】
しかしながら、上記の公報は立体カードを台紙内に挟み収納するということにとどまっていて、立体カードを開いた状態で固定する構造に欠けているという課題がある。
【課題を解決するための手段】
【０００５】
本考案は起こし立て角筒体にロック機構を設けて、角筒体に起こし立てするとロック機構が働いて角筒体を起し立て状態にて固定するようにして上記の課題を解決したのである。
【考案の効果】
【０００６】
本考案は、起こし立て角筒体をロック機構により起こし立てした状態にて強固に固定するという効果を生ずる。
【０００７】
ロック機構は傾斜片の差し込み部がスリットを抜け出ると、台紙により上向きにたわんで前進することで、スリット上の押片が差し込み部に設けた舌片を押し下げつつその端面をスリットの下側端面に突き当てることで、結局３方の突き当たりにて戻り解きが生じない掛止になるという効果を生ずる。
【０００８】
ロック機構により起こし立て角筒体は強固に固定することで、看板などの支柱、その他の支え材として役立たせることができるという効果を生ずる。
【０００９】
角筒体は扁平に押し畳まれた状態とすることで、保管，輸送を効率的にするという効果を生ずる。
【００１０】
角筒体内の傾斜片は筋かいの作用をして起こし立て角筒体を強化するという効果を生ずる。
【００１１】
台紙は看板面などに兼用することができるという効果を生ずる。
【図面の簡単な説明】
【００１２】
【図１】（ａ）は第１実施例の角筒体形成枠を組み付け前の展開形にて示す平面図、（ｂ）は同、組み付けした状態の斜視図
【図２】（ａ）は角筒体形成枠を台紙に載着した折畳み状態を示す側面図、（ｂ）は同、角筒体形成枠を起こし立て掛止して角筒体を固定した状態にて示す側面図
【図３】（ａ）（ｂ）（ｃ）は角筒体形成枠の起こし立てから角筒体の掛止固定状態までの過程を示した要部の部分拡大断面図
【図４】角筒体の使用状態例を示すもので、（１）はポップアップ用のパーツとして台紙と看板間に設けた例、（２）は反り止め用パーツとして大きな台紙兼用の看板の裏面に装着した例、（３）は看板用の支柱として２本の角筒体を看板の裏面に装着した例、（４）は什器の支え材として角筒体を補強する面に装着した例を示す図
【図５】（５）の左側は、角筒体形成枠を平面視舟形に展開する倒立看板の内側に装着し、２方に伸びる台紙兼用の支持板の引張にて角筒体の起こし立て時に舟形の看板を内側から支えるようにした例を示す平面図、（５）の右側は、角筒体形成枠を平面視正方形に展開する倒立看板の内側に装着し、２方に伸びる台紙兼用の支持板の引張にて角筒体の起こし立て時に正方形の看板を内側から支えるようにした例を示す平面図
【図６】（ａ）は第２実施例の角筒体形成枠を組み付け前の展開形にて示す平面図、（ｂ）は同、起こし立て掛止した状態における要部の拡大側断面図
【図７】第３実施例の角筒体形成枠を組み付け前の展開形にて示す平面図（ｂ）は同、起こし立て掛止した状態における要部の拡大側断面図
【考案を実施するための形態】
【００１３】
本考案は板紙などを用いて押し畳み状態にて形成する台紙付きの角筒体形成枠を角筒体形に起こし立てする過程で角筒体内の傾斜片の先部の差し込み部が下角上のスリットより抜け出て台紙により上向きにたわみながら前進してスリットの上面に設けた押片にて差し込み部の舌片を押し下げながら舌片の先端面をスリットの下側端面に突き当てて、押片を含んだ３方の突き当てにて戻り解きなしに掛止して角筒体を起こし立てた状態にて固定するようにして構成する。
【実施例１】
【００１４】
図１乃至図５図は本考案の第１実施例であって、偏平に折り畳んでなる角筒体形成枠１内の右辺上角１ａより左辺下角１ｂに向けて傾斜片１ｃを設け、傾斜片１ｃの先部に下角１ｂ上のスリット１ｄより抜き出る差し込み部１ｅを延長形成し、この角筒体形成枠１を台紙２上に載着する。
【００１５】
この角筒体形成枠１を図２，図３に示すように反時計廻りに起こし立てして角筒体１Ｇを形成すると、その過程で傾斜片１ｃの先端の差し込み部１ｅは下角１ｂ上のスリット１ｄより抜き出て台紙２上にたわんで傾斜を解いて上向きになって水平状態にて前進して、差し込み部１ｅの中間に設けた舌片１ｆをスリット１ｄの上側端面より突出した押片３にて押し下げ、差し込み部１ｅが前進端に達すると、舌片１ｆの先端面をスリット１ｄの下側端面に突き当て、結局、図３（ｃ）に示すようにスリット１ｄを挟んで押片３と舌片１ｆおよびスリット１ｄの下側端面の３方が突き当たり掛止して角筒体１Ｇを起し立て状態にて固定することになる。
なお、角筒体１Ｇに起こし立てしたあとは、差し込み部１ｅを台紙２に接着して浮き離れしないようにすることもある。
【００１６】
しかして３方の突き当てによる掛止は、舌片１ｆをその先端面が差し込み部１ｅの基部方向に向いていて且つ差し込み部１ｅの前進終端時にスリット１ｄの下側端面に当たるように設け、また押片３を舌片１ｆがスリット１ｄに押し当たるようにスリット１ｄの上側端面に短かく且つ平坦な形にて突き出し形成することで達成され、３方の突き当たり掛止にて戻り解きが生じないものとなる。
【００１７】
なお、起こし立て角筒体１Ｇは板紙，段ボール，ＰＥＴ素材，ＰＰ素材、その他の軽量材にて形成することができて、しかもこの角筒体１Ｇは断面視正方形または矩形の四角筒体形をして太さ，長さが自由であるから、図４乃至図５に示すように（１）看板のポップアップ用のパーツとして、（２）大きな看板の反り止め用パーツとして、（３）看板用の支柱として、（４）什器その他の支え材として、（５）偏平状態から平面視舟形，四角形に展開して倒立する看板等の立体物を内側から引張支えする支持体などにて重宝に用いることができることになる。また台紙２は看板面などと兼用させることもできる。
【実施例２】
【００１８】
図６は本考案の第２実施例であって、角筒体１Ｇを台紙なしにて形成した例で、図６の展開図に示すように傾斜片１ｃの先部の差し込み部１ｅに傾斜を解いて水平に抜け出るための罫線（折線）４を設けて、角筒体形成枠１を反時計廻りに起こし立てする過程で差し込み部１ｅはスリット３から水平状態に曲がり抜け出て押片３により舌片１ｆを押し下げてスリット１ｄの下側端面に突き当て掛止するようにする。その他の構成と作用は第１実施例と同じである。
【実施例３】
【００１９】
図７は本考案の第３実施例であって、差し込み部１ｅの中間に引っ掛け穴５を設けて、角筒体形成枠１を起こし立てする際に押片３を引っ掛けて差し込み部１ｅを掛止するようにしたものである。その他の構成と作用は第１実施例と同じである。
【産業上の利用可能性】
【００２０】
本考案は板紙などの軽量材にて角筒体を起こし立て形成する際の固定構造として広く利用されるものである。
【符号の説明】
【００２１】
１は角筒体形成枠
１ａは上角
１ｂは下角
１ｃは傾斜片
１ｄはスリット
１ｅは差し込み部
１ｆは舌片
１Ｇは角筒体
２は台紙
３は押片
４は罫線
５は引っ掛け穴
【図１】
0003210960.tif 000003
【図２】
0003210960.tif 000004
【図３】
0003210960.tif 000005
【図４】
0003210960.tif 000006
【図５】
0003210960.tif 000007
【図６】
0003210960.tif 000008
【図７】
0003210960.tif 000009